(57)【要約】      （修正有）【課題】窓の眺望や通風性を犠牲にすることなく、窓を開けたままでも床等が雨で濡れるのを防ぐことのできる窓用雨よけ具の提供。【解決手段】雨よけ具２は板状に形成され、室内側に向かって上向きに傾斜し、窓１の下部において、開いた内障子の戸先部と竪枠４ｂとの間に挟み込んで取付け、窓を開けたままにしていて急に強い雨が降っても室内の床等が濡れるのを防ぐことができ、室内側に向かって上向きに傾斜していることで、雨よけ具上に落ちた雨水を下枠上面に流して排水し、床等が濡れるのを防止する。【選択図】図１
2015034410.tif 000002
【特許請求の範囲】
【請求項１】
板状に形成され、窓の下部に室内側に張り出して取付けられることを特徴とする窓用雨よけ具。
【請求項２】
室内側に向かって上向きに傾斜していることを特徴とする請求項１記載の窓用雨よけ具。
【請求項３】
開いた引戸障子の戸先部と竪枠との間に挟み込んで取付けることを特徴とする請求項１又は２記載の窓用雨よけ具。
【発明の詳細な説明】
【技術分野】
【０００１】
本発明は、窓を開けていて雨が降った時に室内の床等が濡れるのを防ぐ窓用雨よけ具に関する。
【背景技術】
【０００２】
窓を開けているときに急に強い雨が降り、室内の床等が濡れることがある。これを防ぐための従来の対策としては、網戸の室外側に下向きに傾斜した羽根を上下方向に並べて取付けたものがあった（例えば、特許文献１参照。）。しかし、網戸の室外側にそのように羽根を取付けると、窓の眺望が損なわれると共に、風通しも悪くなる。
【先行技術文献】
【特許文献】
【０００３】
【特許文献１】特開２００１−２０７７４６号公報
【発明の概要】
【発明が解決しようとする課題】
【０００４】
本発明は以上に述べた実情に鑑み、窓の眺望や通風性を犠牲にすることなく、窓を開けたままでも床等が雨で濡れるのを防ぐことのできる窓用雨よけ具の提供を目的とする。
【課題を解決するための手段】
【０００５】
上記の課題を達成するために請求項１記載の発明による窓用雨よけ具は、板状に形成され、窓の下部に室内側に張り出して取付けられることを特徴とする。
【０００６】
請求項２記載の発明による窓用雨よけ具は、請求項１記載の発明の構成に加え、室内側に向かって上向きに傾斜していることを特徴とする。
【０００７】
請求項３記載の発明による窓用雨よけ具は、請求項１又は２記載の発明の構成に加え、開いた引戸障子の戸先部と竪枠との間に挟み込んで取付けることを特徴とする。
【発明の効果】
【０００８】
請求項１記載の発明による窓用雨よけ具は、板状に形成され、窓の下部に室内側に張り出して取付けられるので、窓を開けたままにしていて急に強い雨が降っても室内の床等が濡れるのを防ぐことができ、しかも窓の眺望や通風性が損なわれることがない。
【０００９】
請求項２記載の発明による窓用雨よけ具は、室内側に向かって上向きに傾斜していることで、雨よけ具上に落ちた雨水を下枠上面に流して排水できるので、床等が濡れるのをより確実に防止できる。
【００１０】
請求項３記載の発明による窓用雨よけ具は、開いた引戸障子の戸先部と竪枠との間に挟み込んで取付けることで、引違い窓や片引き窓に簡単に取付けることができ、大きさの違う窓で雨よけ具を兼用することもできる。
【図面の簡単な説明】
【００１１】
【図１】図２のＡ−Ａ断面図である。
【図２】本発明の窓用雨よけ具の第１実施形態を示す窓の横断面図である。
【図３】（ａ）は障子側の取付部の他の例を示す平面図であり、（ｂ）はその室内側面図である。
【図４】本発明の窓用雨よけ具の第２実施形態を示す縦断面図である。
【図５】本発明の窓用雨よけ具の第３実施形態を示す窓の横断面図である。
【図６】第３実施形態の窓用雨よけ具を取付けた窓の縦断面図である。
【発明を実施するための形態】
【００１２】
以下、本発明の実施の形態を図面に基づいて説明する。図１，２は、本発明の窓用雨よけ具の第１実施形態を示している。窓１は、上枠と下枠５と左右の竪枠４ａ，４ｂとを枠組みしてなるサッシ枠６に、外障子３ａと内障子３ｂを引違い開閉自在に備え、外障子３ａの室外側に網戸２３を左右方向に摺動自在に備える引違い窓であり、雨よけ具２は内障子３ｂの戸先部７と竪枠４ｂとの間に挟み込むようにして、窓１の下部に室内側に張り出して設けてある。
【００１３】
雨よけ具２は、透明な樹脂で板状に形成してあり、室内側への張り出し長さは約４０ｃｍあり、横幅は内障子３ｂを全開にしたときの開口幅よりも少し小さくしてある。雨よけ具２は、室内側に向かって１０°程度上向きに傾斜しており、左右両側の縁部にはリブ８が上方に立ち上げて設けてある。また雨よけ具２は、室外側の端部が下枠５上にオーバーラップしている。
雨よけ具２の左右両側の室外側端部には、取付用のアタッチメント９を有している。アタッチメント９は、上下方向に連続した溝１０が外側に向けて形成してあり、その溝１０に内障子３ｂの戸先部７と竪枠４ｂの内周側面に突設したフィン１１ａ，１１ｂが係止している。またアタッチメント９は、室内外方向の長孔１２が設けてあり、長孔１２に挿通したネジ１３で雨よけ具２にネジ止めすることで、雨よけ具２に対して室内外方向に取付位置を調節できるようになっている。
【００１４】
本雨よけ具２の取付け方を説明する。内障子３ｂをいったん全開にして、雨よけ具２を内障子３ｂの戸先部７と竪枠４ｂとの間に配置する。その後、内障子３ｂを閉じ側にスライドさせ、アタッチメント９の溝１０に内障子３ｂの戸先部７と竪枠４ｂのフィン１１ａ，１１ｂをそれぞれ係止することで、取付けが完了する。雨よけ具２を取外す際は、内障子３ｂを全開位置までスライドすることで、アタッチメント９の係止が外れ、簡単に取り外すことができる。
実施形態では、雨よけ具２を内障子３ｂの戸先部７と竪枠４ｂとの間に取付けているが、外障子３ａの戸先部と竪枠４ａとの間に取付けることもできる。雨よけ具２の幅は、障子３ａ，３ｂを全開にしたときの開口幅よりも小さければよく、例えば障子３ａ，３ｂの幅の半分程度とすることもできる。窓１には大小様々な大きさのものがあるが、小さい窓に合わせて雨よけ具２の幅を設定することで、大小の窓で雨よけ具２を兼用することができる。
【００１５】
障子４枚建ての窓では、障子と障子の間に雨よけ具２を挟み込むようにして取付けることもできる。また雨よけ具２は、２枚の板を重ね合わせるなどして左右方向に伸縮自在とすることもでき、これにより大小の窓で雨よけ具２を兼用したり、障子の開け具合を調節したりすることができる。
【００１６】
以上に述べたように本雨よけ具２は、窓１の下部に室内側に張り出して設けたことで、窓１を開けたままにしていて急に強い雨が降っても室内の床１４等が濡れるのを防ぐことができ、しかも窓の眺望や通風性が損なわれることがない。さらに本雨よけ具２は、室内側に向かって上向きに傾斜していることで、雨よけ具２上に落ちた雨水を下枠５上面に流して排水できるので、床１４等が濡れるのをより確実に防止できる。また、開いた引戸障子３ａ，３ｂの戸先部７と竪枠４ａ，４ｂとの間に挟み込んで取付けることで、引違い窓や片引き窓に簡単に取付けることができ、大きさの違う窓１で雨よけ具２を兼用することもできる。
【００１７】
図３は、障子３ａ，３ｂの戸先部７にフィンがない場合（戸先框が筒型の場合）の取付け方の例を示している。アタッチメント９は、障子３ａ，３ｂの戸先部７の室内側面に当接する壁１５を有し、その壁１５には角孔１６と弾性爪１７が形成してある。またアタッチメント９は、障子３ａ，３ｂの戸先部７を室外側から押えるストッパー部材１８を有している。ストッパー部材１８は、障子３ａ，３ｂの戸先部７の室外側面に当接する壁１９と、その壁１９から室内側に突出する差込片２０を有し、差込片２０にはギザギザ２１が設けてあり、差込片２０をアタッチメント本体９の角孔１６に室外側から挿入すると、ギザギザ２１に弾性爪１７が係止し、アタッチメント本体９の壁１５とストッパー部材１８の壁１９とで戸先部７を挟みつけるようにして保持される。
【００１８】
図４は、本発明の雨よけ具２の第２実施形態を示している。本雨よけ具２は、室外側の端部を窓１の下部に固定されるアタッチメント９に蝶番２２で取付けてあり、図中に二点鎖線で示すように、蝶番２２を支点として上向きに起こせるようにしてある。このように雨よけ具２を上向きに起こすことで、床１４を掃除するときに雨よけ具２が邪魔にならない。
【００１９】
図５，６は、本発明の雨よけ具２の第３実施形態を示している。この雨よけ具２は、下枠５の長手方向のほぼ全長にわたって取付けてある。取付け方は、下枠５のアングル部５ａ等にネジで取付けてもよいし、下枠５のアングル部５ａに取付けたアタッチメント（図示省略）を介して簡易に着脱できるようにすることもできる。
本実施形態の雨よけ具２は、障子３ａ，３ｂの開け閉めにかかわらず取付けておくことができ、また外障子３ａと内障子３ｂのどちらを開けたときでも、床１４が濡れるのを防ぐことができる。
【００２０】
本発明は以上に述べた実施形態に限定されない。雨よけ具２の大きさ（幅及び長さ）、形状、材質は、適宜変更することができ、例えばアルミやステンレス等の金属の板で形成することもできる。窓１への取付け方は任意であり、例えば洗濯ばさみのようなもので竪枠のフィン等に挟み付けて取付けることもできる。窓１は引違い窓に限らず、片引き窓、すべり出し窓、突き出し窓等、あらゆる窓種に適用することができる。
【符号の説明】
【００２１】
１  窓
２  雨よけ具
３ａ  外障子（引戸障子）
３ｂ  内障子（引戸障子）
４ａ，４ｂ  竪枠
【図１】
2015034410.tif 000003
【図２】
2015034410.tif 000004
【図３】
2015034410.tif 000005
【図４】
2015034410.tif 000006
【図５】
2015034410.tif 000007
【図６】
2015034410.tif 000008